(57)【特許請求の範囲】
【請求項１】
第１の他の基地局装置の無線フレームに設定されたブランク区間のタイプを識別可能な識別情報を取得する取得部と、
前記識別情報を前記第１の他の基地局装置とは異なる第２の他の基地局装置に送信する送信制御部と、を備えていることを特徴とする基地局装置。
【請求項２】
第１の他の基地局装置の無線フレームに設定されたブランク区間のタイプを識別可能な識別情報を取得する取得部と、
前記識別情報を自装置に接続する端末装置、及び／又は、前記第１の他の基地局装置とは異なる第２の他の基地局装置に送信する送信制御部と、
前記識別情報に基づいて、前記ブランク区間に対応する自装置の無線フレームの対応区間の送信内容が変更されるように自装置の無線フレームを調整するフレーム調整部と、を備え、
前記送信制御部は、調整後の自装置の無線フレームに関する情報を前記識別情報に含めて送信する基地局装置。
【請求項３】
第１の他の基地局装置の無線フレームに設定されたブランク区間のタイプを識別可能な識別情報を取得する取得部と、
前記識別情報を自装置に接続する端末装置、及び／又は、前記第１の他の基地局装置とは異なる第２の他の基地局装置に送信する送信制御部と、
前記ブランク区間において前記端末装置に及ぶ干渉を抑制するために当該端末装置が実行する干渉抑制処理に関する設定情報を受信する受信制御部と、
前記第１の他の基地局装置に向けた前記端末装置のハンドオーバの要否を判定するための基準パラメータを、前記識別情報及び前記設定情報に基づいて設定するパラメータ設定部と、を備えている基地局装置。
【請求項４】
前記干渉抑制処理には、前記ブランク区間に含まれる既知信号による干渉に対して、その既知信号を推定し、推定した既知信号を受信信号から除去する処理、ビームフォーミングにより干渉を回避する処理、又は、時間領域あるいは周波数領域での信号処理により干渉を除去する処理の内、少なくともいずれか１つが含まれている請求項３に記載の基地局装置。
【請求項５】
前記識別情報には、前記ブランク区間のパイロット信号の位置に関する情報、ＰＤＣＣＨの使用状態を示す情報、及び、ＰＤＳＣＨの使用状態を示す情報の内、少なくともいずれか１つが含まれている請求項１〜４のいずれか一項に記載の基地局装置。
【請求項６】
自装置の無線フレームにブランク区間を設定するブランク区間設定部と、
前記ブランク区間設定部が設定したブランク区間のタイプを識別可能な識別情報を、他の基地局装置に送信する基地局間通信部と、を備え、
前記他の基地局装置は、前記識別情報を受信するとさらに他の基地局装置に当該識別情報を送信する
基地局装置。
【請求項７】
第１の基地局装置の無線フレームに設定されたブランク区間を第３の基地局装置に認識させる方法であって、
前記ブランク区間のタイプを識別可能な識別情報を第２の基地局装置が取得する取得ステップと、
前記第２の基地局装置が、前記識別情報を前記第３の基地局装置に送信するステップと、
を含むことを特徴とする方法。
【請求項８】
第１の他の基地局装置の無線フレームに設定されたブランク区間のタイプを識別可能な識別情報を取得する取得部と、
前記識別情報を自装置に接続する端末装置、及び前記第１の他の基地局装置とは異なる第２の他の基地局装置に送信する送信制御部と、を備えていることを特徴とする基地局装置。
【請求項９】
第１の基地局装置の無線フレームに設定されたブランク区間を、第２の基地局装置に接続する端末装置、及び第３の基地局装置に認識させる方法であって、
前記ブランク区間のタイプを識別可能な識別情報を前記第２の基地局装置が取得する取得ステップと、
前記第２の基地局装置が、前記識別情報を前記端末装置、及び前記第３の基地局装置に送信するステップと、
を含むことを特徴とする方法。
【発明の詳細な説明】
【技術分野】
【０００１】
本発明は、基地局装置、及び方法に関するものである。
【背景技術】
【０００２】
従来、移動通信システムでは、半径数百メートルから数十キロメートルのセル（マクロセル）を形成する基地局装置による無線通信サービスが提供されてきた。
近年、ＬＴＥ（Long Term Evolution）の導入に伴い、データ通信トラヒックが劇的に増加することが予想されている。そこで、マクロセルと比較してセル半径の小さいセル（ピコセルなど）を形成する小型基地局装置を、マクロセル内に配置することが検討されている（非特許文献１参照）。
例えば、マクロセル内において人口密度が高い地域等にピコセルを設けることで、マクロセル内に位置する端末を、マクロ基地局装置ではなく、ピコ基地局装置に優先的に接続させれば、マクロ基地局装置の通信負荷を軽減させることができ、システム全体のスループットを向上させることができる。
【先行技術文献】
【非特許文献】
【０００３】
【非特許文献１】3GPP,"TS36.104 V10.0.0 Base Station(BS) radio transmission and reception", 2010-09
【発明の概要】
【発明が解決しようとする課題】
【０００４】
ピコセルは、マクロセル圏内に配置されるため、ピコセルとマクロセルとが同一の通信周波数を使用した場合、ピコセルのセルエッジ付近に位置する端末装置は、マクロセルから強い干渉を受けることが懸念される。
つまり、ピコセルのセル中央付近（ピコセルを形成する小型基地局装置の近傍）では、マクロセルを形成する基地局装置からの電波に比べて、ピコセルを形成する小型基地局装置からの電波の方が強い。したがって、ピコセルの端末装置の通信品質は、比較的良好である。
しかし、ピコセルを形成する小型基地局装置から離れると、小型基地局装置からの電波が弱くなる。この結果、ピコセルのセルエッジ付近では、マクロセルからの電波の干渉を受け易くなる。
【０００５】
そこで、マクロセルが送信するフレームにおいて、その使用を制限するブランク区間（ブランクサブフレーム）を設けておくことが考えられる。マクロ基地局装置による使用が制限されるブランク区間の間においては、ピコセル内の端末装置はマクロセル側から干渉を受けない。したがって、ピコセルのセルエッジ付近に位置する端末装置には、そのブランク区間を優先的に割り当てることで、ピコセルのセルエッジ付近に位置する端末装置における、マクロセルからの干渉による通信品質低下を抑制することができる。
【０００６】
ここで、ブランク区間については、マクロ基地局装置の使用を制限するためのタイプとして、種々の方法が考えられる。
例えば、マクロ基地局装置が、送信信号の送信を全く行わないことによりブランク区間を設定した場合には、ピコセルのセルエッジ付近に位置する端末装置にとっては、マクロセルからの干渉を好適に回避でき、干渉を受ける可能性が極めて低くなる。
しかし、マクロ基地局装置が、自装置の送信電力を小さくして実質的なセルサイズを小さくすることでブランク区間を設定することも考えられる。この場合、マクロ基地局装置による周囲の基地局装置に対する与干渉を低減することはできるが、マクロ基地局装置は自装置の送信を停止するわけではないので、ピコセルに接続する端末装置に対して干渉を与える可能性が全くなくなるわけではない。
【０００７】
上記のようにブランク区間には、種々のタイプが考えられ、そのタイプによっては、与干渉の度合が変化する。ピコセルのセルエッジ付近に位置する端末装置は、上述のように、ピコ基地局装置に優先的に接続させる必要があるので、マクロ基地局装置からの干渉を抑制しつつ、できるだけピコ基地局装置との通信を維持するために、ブランク区間のタイプに応じた干渉抑制処理等の受信処理を行う必要がある。
【０００８】
本発明はこのような事情に鑑みてなされたものであり、ブランク区間のタイプに応じた受信処理を端末装置に実行させることができる基地局装置等を提供することを目的とする。
【課題を解決するための手段】
【０００９】
（１）本発明の基地局装置は、第１の他の基地局装置の無線フレームに設定されたブランク区間のタイプを識別可能な識別情報を取得する取得部と、前記識別情報を自装置に接続する端末装置、及び／又は、前記第１の他の基地局装置とは異なる第２の他の基地局装置に送信する送信制御部と、を備えていることを特徴としている。
【００１０】
上記のように構成された基地局装置によれば、自装置に接続する端末装置、及び／又は、第２の他の基地局装置に、第１の他の基地局装置のブランク区間のタイプを識別可能な識別情報を送信することで、当該端末装置等に、ブランク区間のタイプについて識別させることができる。この結果、ブランク区間のタイプに応じた受信処理を端末装置に実行させることができる。また、第２の他の基地局装置に、当該第２の他の基地局装置に接続する端末装置に対して前記ブランク区間のタイプに関する識別情報を送信させる等の処理を実行させることができる。
【００１１】
（２）前記基地局装置において、前記識別情報に基づいて、前記ブランク区間に対応する自装置の無線フレームの対応区間の送信内容が変更されるように自装置の無線フレームを調整するフレーム調整部をさらに備え、前記送信制御部は、調整後の自装置の無線フレームに関する情報を前記識別情報に含めて送信することが好ましい。
この構成によれば、ブランク区間及び対応区間の両者に同期信号等の制御信号が含まれており、かつ、ブランク区間のタイプによる干渉の抑制度合によって自装置の制御信号が干渉を受けるおそれがある場合にも、対応区間の送信内容が変更されるように無線フレームを調整することで、自装置の信号が受ける与干渉を抑制することができる。
基地局装置が自装置の無線フレームを調整すると、自装置と他装置との間で同期信号等の制御信号の位置関係が変化し、端末装置側からみたときのブランク区間に相対的な影響を与える。よって、基地局装置による調整後の無線フレームに関する情報を端末装置に送信することで、基地局装置が無線フレームを調整したことによる影響を反映したブランク区間を、端末装置に認識させることができる。
【００１２】
（３）前記基地局装置において、前記ブランク区間において前記端末装置に及ぶ干渉を抑制するために当該端末装置が実行する干渉抑制処理に関する設定情報を受信する受信制御部と、前記第１の他の基地局装置に向けた前記端末装置のハンドオーバの要否を判定するための基準パラメータを、前記識別情報及び前記設定情報に基づいて設定するパラメータ設定部と、をさらに備えていることが好ましい。
この場合、基地局装置は、端末装置が実行する干渉抑制処理を認識でき、さらに識別情報及び設定情報に基づいて、基準パラメータを設定するので、ブランク区間のタイプ及び端末装置が行う干渉抑制処理に基づいた干渉の抑制度合に応じて、第１の他の基地局装置に向けた端末装置のハンドオーバの要否判定の基準を調整することができる。
【００１３】
（４）前記干渉抑制処理には、前記ブランク区間に含まれる既知信号による干渉に対して、その既知信号を推定し、推定した既知信号を受信信号から除去する処理、ビームフォーミングにより干渉を回避する処理、又は、時間領域あるいは周波数領域での信号処理により干渉を除去する処理の内、少なくともいずれか１つが含まれているものであることが好ましい。
【００１４】
（５）さらに、前記識別情報には、前記ブランク区間のパイロット信号の位置に関する情報、ＰＤＣＣＨの使用状態を示す情報、及び、ＰＤＳＣＨの使用状態を示す情報の内、少なくともいずれか１つが含まれていることが好ましい。
【００１５】
（６）また、本発明の基地局装置は、自装置の無線フレームにブランク区間を設定するブランク区間設定部と、前記ブランク区間設定部が設定したブランク区間のタイプを識別可能な識別情報を、他の基地局装置に送信する基地局間通信部と、を備えていることを特徴としている。
上記構成の基地局装置によれば、自装置の無線フレームに設定したブランク区間のタイプを他の基地局装置に識別させることができる。この結果、他の基地局装置に、当該他の基地局装置に接続する端末装置に対して前記ブランク区間のタイプに関する識別情報を送信させる等の処理を実行させることができる。
【００１６】
（７）また、本発明の基地局装置は、他の基地局装置の無線フレームに設定されたブランク区間のタイプを識別可能な識別情報を取得する取得部と、前記取得部が取得した前記識別情報に基づいて、ブランク区間を自装置の無線フレームに設定するブランク区間設定部と、を備えていることを特徴としている。
上記構成の基地局装置によれば、他の基地局装置が設定するブランク区間に応じて、同じタイプのブランク区間を自装置の無線フレームに設定することができるので、設定されるブランク区間のタイプを複数の基地局装置の間で統一することができる。この結果、このブランク区間を利用する基地局装置及び端末装置においてその利便性が高まる。
【００１７】
（８）本発明は、基地局装置に接続する端末装置であって、前記基地局装置とは異なる他の基地局装置の無線フレームに設定されたブランク区間のタイプを識別するための識別情報を、前記基地局装置を介して取得する取得部と、前記識別情報に基づいて、前記ブランク区間における干渉抑制処理を設定する干渉処理設定部と、を備えていることを特徴としている。
上記構成の端末装置によれば、他の基地局装置の無線フレームに設定されたブランク区間のタイプを識別することができるので、ブランク区間のタイプに応じた受信処理を実行することができる。
【００１８】
（９）前記干渉抑制処理には、前記ブランク区間に含まれる既知信号による干渉に対して、その既知信号を推定し、推定した既知信号を受信信号から除去する処理、ビームフォーミングにより干渉を回避する処理、又は、時間領域あるいは周波数領域での信号処理により干渉を除去する処理の内、少なくともいずれか１つが含まれていることが好ましい。
【００１９】
（１０）他の観点からみた本発明は、第１の基地局装置の無線フレームに設定されたブランク区間を、第２の基地局装置に接続する端末装置、及び／又は、第３の基地局装置に認識させる方法であって、前記ブランク区間のタイプを識別可能な識別情報を前記第２の基地局装置が取得する取得ステップと、前記第２の基地局装置が、前記識別情報を前記端末装置、及び／又は、前記第３の基地局装置に送信するステップと、を含むことを特徴としている。
【発明の効果】
【００２０】
本発明によれば、ブランク区間のタイプに応じた受信処理を端末装置に実行させることができる。
【図面の簡単な説明】
【００２１】
【図１】無線通信システムの構成を示す概略図である。
【図２】基地局間ネットワークの構成図である。
【図３】ＤＬフレーム及びＵＬフレームの構造図である。
【図４】ＤＬフレームの構造図である。
【図５】ピコ基地局装置に接続する端末装置が、マクロ基地局装置にハンドオーバする際の一般的な処理を示すシーケンス図である。
【図６】マクロ基地局装置の無線フレームに設定されたＡＢＳを示す図である。
【図７】マクロ基地局装置が設定するＡＢＳについて、予め定めた複数のタイプ（形態）それぞれの構成を示す図であり、（ａ）はタイプ１、（ｂ）はタイプ２、（ｃ）はタイプ３を示している。
【図８】サブフレームシフトを説明するための図である。
【図９】マクロ基地局装置、ピコ基地局装置、及び端末装置の構成を示すブロック図である。
【図１０】マクロ基地局装置と、ピコ基地局装置との間で行われるセル間干渉抑制処理を示すシーケンス図である。
【図１１】図１０中ステップＳ１４において端末装置が行う、受信処理の設定についてのフローチャートである。
【図１２】図１１中ステップＳ３３において端末装置が行う、干渉抑制処理の選択についてのフローチャートである。
【図１３】ピコ基地局装置に接続している端末装置が、ピコ基地局装置との接続を実質的に維持することが可能な、ピコ基地局装置の受信信号の電力とマクロ基地局装置の受信信号の電力との電力差を示す図であり、この電力差の値と、マクロ基地局装置が設定しうる各ＡＢＳタイプ、及び端末装置が実行する受信処理（干渉抑制処理）の有無との関係を示している。
【図１４】マクロ基地局装置と、当該マクロ基地局装置と異なる他のマクロ基地局装置との間におけるＡＢＳの設定の態様を示すシーケンス図である。
【発明を実施するための形態】
【００２２】
以下、本発明の好ましい実施形態について図面を参照しながら説明する。
［１．通信システムの構成］
図１は、無線通信システムの構成を示す概略図である。この通信システムは、複数の基地局装置（ＢＳ；Base Station）１を備えたセル方式のシステムである。本実施形態の無線通信システムは、例えば、ＬＴＥが適用されるシステムであり、各基地局装置１と、端末装置（ＵＥ；User Equipment）２との間において、ＬＴＥに準拠した通信が行われる。ただし、通信方式は、ＬＴＥに限られるものではない。
【００２３】
通信システムを構成する複数の基地局装置１には、例えば、数キロメートルの大きさの通信エリア（マクロセル）ＭＣを形成する複数のマクロ基地局装置（Macro Base Station）１ａのほか、マクロセルよりも小さいセルを形成する小型基地局装置１ｂ，１ｃを含めることができる。小型基地局装置としては、たとえば、ピコセルＰＣを形成するピコ基地局装置１ｂ、及び、フェムトセルＦＣを形成するフェムト基地局装置１ｃがある。
以下では、マクロ基地局装置をマクロＢＳ、ピコ基地局装置をピコＢＳ、フェムト基地局装置をフェムトＢＳというものとする。
【００２４】
ピコＢＳ１ｂは、マクロセルＭＣ内に１又は複数設置される。ピコＢＳ１ｂは、マクロＢＳ１ａと同様に、主に、通信事業者によって設置される。このピコＢＳ１ｂをマクロセルＭＣ内に設置することで、マクロセルＭＣ内の端末装置（移動端末）２を、マクロＢＳ１ａではなくピコＢＳ１ｂに優先的に接続させれば、マクロＢＳ１ａの通信負荷を軽減させることができ、システム全体のスループットを向上させることができる。
【００２５】
フェムトＢＳ１ｃも、マクロセル内に１又は複数設置される。フェムトＢＳ１ｃは、主に、通信システムの顧客（ユーザ）である個人や企業などによって設置される。フェムトＢＳ１ｃを設置することで、フェムト基地局装置の設置場所における通信環境の改善などを図ることができる。
【００２６】
フェムトセルＦＣ及びピコセルＰＣは、ともに、マクロセルＭＣよりも狭い通信エリアを持つが、「フェムト」及び「ピコ」という名称が示すように、一般に、フェムトセルＦＣの方が、ピコセルＰＣよりも狭い。
なお、ＬＴＥにおいて、マクロＢＳ及びピコＢＳは、「ｅＮＢ」とよばれ、フェムトＢＳは、「ＨｅＮＢ」とよばれる。
【００２７】
図２は、マクロＢＳ１ａ、ピコＢＳ１ｂ、及びフェムトＢＳ１ｃの各基地局装置を接続する基地局間ネットワーク（有線ネットワーク）を示している。ｅＮＢであるマクロＢＳ１ａ及びピコＢＳ１ｂは、Ｓ１インターフェースとよばれる通信インターフェースによる回線６を介して、ＭＭＥ（Mobility Management Entity）と接続されている。ＭＭＥ３は、端末装置２の位置等の管理を行う管理装置であり、各端末装置２の移動管理についての処理を行うノードである。
さらに、ｅＮＢ間はＸ２インターフェースと呼ばれる通信インターフェースによる回線７によって相互に接続されており、ｅＮＢ間で直接的に情報交換のための通信が可能である。ただし、現行の標準では、フェムトＢＳ１ｃはＸ２インターフェースを持つことができない。
なお、Ｘ２インターフェースによる接続は、図２に示す接続に限られず、任意のｅＮＢ間に設けることができる。
【００２８】
ＨｅＮＢであるフェムトＢＳ１ｃは、ＨｅＮＢゲートウェイ（ＧＷ）５を介してＭＭＥ３に接続されている。ＭＭＥ３とゲートウェイ５との間、及び、ゲートウェイ５とフェムトＢＳ１ｃとの間も、それぞれＳ１インターフェースと呼ばれる通信インターフェースによる回線６によって接続されている。
なお、フェムトＢＳ１ｃは、ＨｅＮＢゲートウェイ（ＧＷ）５を介さずに、Ｓ１インターフェースによって、ＭＭＥ３と接続されていてもよい。
【００２９】
上記のＳ１インターフェース及びＸ２インターフェースによるネットワークは、各基地局装置１ａ，１ｂ，１ｃの間を有線で接続する基地局間ネットワークを構成している。この基地局間ネットワークには、通信を管理するサーバ（図示省略）などが設置される。
なお、各基地局装置１ａ，１ｂ，１ｃ間は、基地局間ネットワーク等を利用して、基地局間同期が確保されている。
【００３０】
［２．ＬＴＥのフレーム構造］
本実施形態の通信システムが準拠するＬＴＥにおいて採用可能なＦＤＤ方式においては、上り信号（端末装置から基地局装置への送信信号）と、下り信号（基地局装置から端末装置への送信信号）との間で、互いに異なる使用周波数を割り当てることで、上り通信と下り通信とを同時に行う。
【００３１】
図３は、ＬＴＥにおける上り及び下りそれぞれの無線フレームの構造を示す図である。ＬＴＥにおける下りの基本フレームである無線フレーム（ＤＬフレーム）及び上りの無線フレーム（ＵＬフレーム）は、その１無線フレーム分の時間長さがそれぞれ１０ミリ秒であり、＃０〜＃９まで１０個のサブフレーム（一定の時間長さを持つ通信単位領域）によって構成されている。これらのＤＬフレームとＵＬフレームは、そのタイミングが揃えられた状態で、時間軸方向に配置される。
【００３２】
図４は、ＤＬフレーム（基地局装置の送信フレーム）の詳細な構造を示す図である。図中、縦軸方向は周波数を示しており、横軸方向は時間を示している。
ＤＬフレームを構成するサブフレームは、それぞれ２つのスロットにより構成されている。また、１つのスロットは、７個（♯０〜♯６）のＯＦＤＭシンボルにより構成されている（Normal Cyclic Prefixの場合）。
また、図中、データ伝送の上での基本単位領域であるリソースブロック（ＲＢ：Resource Block）は、周波数軸方向に１２サブキャリア、時間軸方向に７ＯＦＤＭシンボル（１スロット）で定められる。
また、ＤＬフレームの周波数方向の帯域幅は、最大２０ＭＨｚで複数の設定値が規定されている。
【００３３】
図４に示すように、各サブフレームの先頭には、基地局装置１が端末装置２に対し、下り通信に必要な制御チャネルを割り当てるための伝送領域が確保されている。この伝送領域は、各サブフレームにおいて先頭側に位置するスロットのシンボル♯０〜♯２（最大で３シンボル）で割り当てられている。この伝送領域には、ＰＤＣＣＨ（Physical Downlink Control Channel）、ＰＣＦＩＣＨ（Physical Control Format Indicator. Channel）、ＰＨＩＣＨ（Physical HARQ Indicator Channel）などが割り当てられている。
【００３４】
ＤＬフレームを構成する１０個のサブフレームの内、１番目（♯０）及び６番目（♯５）のサブフレームそれぞれには、基地局装置やセルを識別するための制御信号である、第一同期信号（ＰＳＳ：Primary Synchronisation Signal）及び第二同期信号（ＳＳＳ：Secondary Synchronisation Signal）を送信するための領域（Ｐ−ＳＣＨ：Primary Synchronizaiton Channel，Ｓ−ＳＣＨ：Secondary Synchronizaiton Channel）が割り当てられている。
【００３５】
また、ＤＬフレームにおいて、１番目のサブフレーム♯０には、ブロードキャスト送信によってシステムの帯域幅等を端末装置に通知するためのブロードキャストチャネル（ＰＢＣＨ：Physical Broadcast Channel）が割り当てられる。ＰＢＣＨは、時間軸方向において、１番目のサブフレーム♯０における後方側のスロットのシンボル♯０〜♯３の位置に４つのシンボル幅で配置され、周波数軸方向において、ＤＬフレームの帯域幅の中央の位置に６リソースブロック幅分（７２サブキャリア）で割り当てられる。このチャネルは、４フレームにわたって同一の情報を送信することで、４０ミリ秒ごとに更新されるように構成されている。
ＰＢＣＨには、通信帯域幅や、無線フレーム番号等を含んだマスタ情報ブロック（ＭＩＢ：Master Information Block）が格納されている。
【００３６】
上述の各チャネルが割り当てられていない他のリソースブロックは、ユーザデータ等を格納するためのＤＬ共有チャネル（ＰＤＳＣＨ）として用いられる。このＰＤＳＣＨは、複数の端末装置で共有して用いられるエリアである。
ＰＤＳＣＨに格納されるユーザデータの割り当てについては、各サブフレームの先頭に割り当てられているＰＤＣＣＨに格納される、下りの無線リソース割当に関するリソース割当情報により端末装置に通知される。このリソース割当情報は、各ＰＤＳＣＨの無線リソース割当を示す情報であり、端末装置は、このリソース割当情報によって、そのサブフレーム内に自己に対するデータが格納されていることを認識できる。
Ｐ−ＳＣＨ，Ｓ−ＳＣＨ，ＰＢＣＨ、ＰＤＣＣＨその他の制御チャネルには、端末装置２がＰＤＳＣＨにて送信されるデータ信号を受信するために必要な各種の制御信号を含んでいるため、これらの制御チャネルが、電波干渉を受けると、ＰＤＳＣＨによって送信されたデータ信号の受信に支障を来たす。
【００３７】
また、ＰＤＳＣＨには、ユーザデータの他、各端末装置共通の制御信号、各端末装置個別の制御信号等も格納される。ＰＤＳＣＨに格納される制御信号としては、例えばシステム情報ブロック（ＳＩＢ：System Information Block）などの報知情報が挙げられる。
【００３８】
システム情報ブロックとしては、ＳＩＢ１〜ＳＩＢ９がある。ＳＩＢ１が送信されるタイミング等は、ＭＩＢで指定される。ＳＩＢ２〜ＳＩＢ９のスケジューリング情報は、ＳＩＢ１に含まれている。したがって、ＳＩＢなどの報知情報は、端末装置２が基地局装置１との接続を確立してなくても、端末装置が読み取ることができる。なお、ＳＩＢの数は特に限定されるものではない。
【００３９】
［３．ハンドオーバについて］
端末装置２をマクロセルＭＣよりもピコセルＰＣに優先的に接続させるためには、例えば、ピコセルＰＣのセルエッジ付近に位置する端末装置２ａの接続先をできるだけピコセルＰＣで維持することが考えられている。
ピコセルＰＣのセルエッジ付近では、マクロＢＳ１ａからの電波（干渉波）が届き易い上、ピコＢＳ１ｂからの電波（希望波）の強度が弱くなるため、ピコセルＰＣに接続している端末装置２がマクロセルＭＣにハンドオーバし易くなる。このため、ピコセルＰＣのセルエッジ付近では、マクロＢＳ１ａにハンドオーバする端末装置２も現れる。
【００４０】
図５は、ピコ基地局装置１ｂに接続する端末装置２が、マクロ基地局装置１ａにハンドオーバする際の一般的な処理を示すシーケンス図である。
端末装置２がハンドオーバするには、まず、端末装置２が接続するピコＢＳ１ｂが、当該端末装置２に対して周辺セルの受信品質（受信電力）の測定（メジャメント）を要求する（ステップＳ１）。メジャメント要求に対して端末装置２は、メジャメントを行い、周辺セルの受信品質についてピコＢＳ１ｂに対して応答する（ステップＳ２）。ピコＢＳ１ｂは、メジャメント応答に基づいて、ピコＢＳ１ｂからの受信電力と、マクロＢＳ１ａからの受信電力とを互いに比較する（ステップＳ３）。比較の結果、ピコＢＳ１ｂの受信電力の方が大きければ、ピコＢＳ１ｂとの接続を維持することを決定し、ピコＢＳ１ｂの受信電力の方が小さければ、マクロＢＳ１ａにハンドオーバすることを決定する（ステップＳ４）。
【００４１】
ハンドオーバの実行を決定すると、ピコＢＳ１ｂは、端末装置２のハンドオーバを要求するためのハンドオーバ要求を、Ｘ２インターフェース等を介してマクロＢＳ１ａに送信するとともに（ステップＳ５）、端末装置２に対しては、ハンドオーバの実行を指示するためのハンドオーバ指示を送信する（ステップＳ６）。
【００４２】
その後、端末装置２は、ハンドオーバを実行し、マクロＢＳ１ａとの間で通信接続を開始する（ステップＳ７）。
各基地局装置１は、上述のハンドオーバを実行する機能を有しており、マクロセルＭＣに接続する端末装置２がピコセルＰＣにハンドオーバする際も、上記手順とほぼ同様で行われる。
【００４３】
ピコＢＳ１ｂは、ハンドオーバの実行を決定する際に、端末装置２のメジャメントによる測定結果の内、自装置１ｂの受信電力にオフセット値を加える（又は、マクロＢＳ１ａの受信電力に加えられるオフセット値よりも大きめのオフセット値を加える）ことで、見かけ上の自装置１ｂの受信電力を高め、自装置１ｂに接続する端末装置２がマクロＢＳ１ａにハンドオーバするのをできるだけ制限するように設定される場合がある。
この場合、自装置１ｂの受信電力に加えられるオフセット値（又は、自装置１ｂの受信電力及びマクロＢＳ１ａの受信電力に加えられるオフセット値）は、端末装置２がマクロＢＳ１ａに向けてハンドオーバする際の要否を判定するための基準パラメータを構成している。
【００４４】
ピコセルＰＣのセルエッジ付近では、上述のように、ピコセルＰＣに接続している端末装置２はマクロセルＭＣにハンドオーバし易くなり、マクロＢＳ１ａに接続する端末装置２も現れる可能性が生じる。しかし、上記のようにピコセルＰＣからマクロセルＭＣへのハンドオーバの実行を制限するように上記オフセット値が設定されていれば、通常であれば、端末装置２がピコセルＰＣからマクロセルＭＣにハンドオーバすべき状態であっても、ハンドオーバの実行がなされず、接続先をピコセルＰＣで維持できる。これにより、ピコセルＰＣのエッジ付近の範囲は、実質的に拡張され、端末装置２をマクロセルＭＣよりもピコセルＰＣに優先的に接続させることができる。
【００４５】
［４．セル間の干渉抑制処理（Inter-Cell Interference Coordination）］
図１に示すように、ピコセルＰＣのセルエッジ付近の領域である領域Ｅに位置する端末装置２ａには、マクロＢＳ１ａからの電波（干渉波）が届き易い上、ピコＢＳ１ｂからの電波（希望波）の強度が弱くなるため、マクロＢＳ１ａからの干渉を受ける可能性がある。なお、上記領域Ｅとは、ピコセルＰＣのセルエッジ付近の領域であって、マクロＢＳ１ａからの干渉を受ける可能性がある領域を示している。
【００４６】
さらに、上述のように、ピコ基地局装置１ｂが、自装置１ｂに接続する端末装置２のハンドオーバの実行を制限している場合、ピコセルＰＣに接続するとともに領域Ｅに位置する端末装置２は、ピコセルＰＣの受信電力の方がマクロセルＭＣよりも見かけ上大きくなるように設定されることでピコセルＰＣに接続されているため、実際には、マクロセルＭＣの受信電力の方が大きく、マクロＢＳ１ａからの干渉を強く受ける可能性がある。
【００４７】
ピコセルＰＣのセルエッジ付近である領域Ｅに位置する端末装置２への、マクロＢＳ１ａからの干渉を低減するために、本システムでは、図６に示すように、マクロＢＳ１ａの送信フレーム中に、マクロＢＳ１ａの使用が制限されるブランク区間を設けている。
【００４８】
ここでブランク区間とは、与干渉抑制を目的として、当該ブランク区間を設定した基地局装置によっては、全く信号送信が行われないか、又は、実質的な信号送信が行われない区間であり、マクロＢＳ１ａによる無線リソースの使用が、ピコＢＳ１ｂを含む他セルに影響を与えない程度に制限されるような形態に設定される区間である。ブランク区間では、当該ブランク区間を設定した基地局装置による無線リソースの使用が制限されるので、与干渉を抑制することができる。
逆に言うと、ブランク区間内では、下り信号にブランク区間が設定されているマクロＢＳ１ａ以外の基地局装置に、ブランク区間の時間帯におけるリソースを積極的に使用させることができる。
【００４９】
図６は、マクロＢＳ１ａがブランク区間を設ける具体例として、そのＤＬフレーム中に、ＡＢＳ（Almost Blank Subframe）を設けたものを示している。ＡＢＳとは、３ＧＰＰ(3rd Generation Partnership Project)の技術仕様書(TS36.300 V10.3.0 2011-03 16.1.5)に記載されている「Almost Blank Subframe」である。このＡＢＳは、その区間に存在するいくつかの物理チャネルについて送信電力を小さく抑えたり、その区間に存在するいくつかの物理チャネルについて最低限のデータだけを割り当てたり、その区間に存在するいくつかの物理チャネルについて最低限のデータ信号だけを送信するか若しくは全くデータ信号を送信しなかったり、使用する無線リソースを少なくしたりすることで、他セルに影響を与えない程度に、ＢＳによる無線リソースの使用が制限される区間である。
また、ＡＢＳは、所定のパターンで、無線フレーム内に一又は複数設定される。
【００５０】
図６において、ピコＢＳ１ｂは、自装置１ｂのＤＬフレームにおいて、マクロＢＳ１ａの使用が制限されるＡＢＳと同一のタイミングのサブフレームを、領域Ｅに位置する端末装置２ａの無線リソースとして割り当てれば、当該端末装置２に対するマクロＢＳ１ａからの与干渉は抑制される。
【００５１】
なお、ピコＢＳ１ｂが、ＡＢＳが設定されているタイミングのサブフレームを用いて領域Ｅに位置する端末装置２ａに送信を行うには、当該ピコＢＳ１ｂが、マクロＢＳ１ａのＡＢＳのタイミングを認識しておく必要がある。
この点、マクロＢＳ１ａは、上述のようにＡＢＳを所定のパターンで無線フレーム内に設定し、その設定したパターンを示すＡＢＳパターン情報を、基地局間通信によって周辺基地局装置１に通知する。このＡＢＳパターン情報を受信することによって、ピコＢＳ１ｂを含む周辺基地局装置１は、マクロＢＳ１ａが設定するＡＢＳのタイミングを認識することができる。
【００５２】
［５．ブランク区間のタイプについて］
上記ブランク区間として設けたＡＢＳは、上述のような態様で定義されているため、ＡＢＳを構成するサブフレームを、複数のタイプとして予め定めることができる。
図７は、本実施形態において、マクロＢＳ１ａが設定するＡＢＳについて、予め定めている複数のタイプそれぞれの構成を示す図である。
図７（ａ）は、ＰＤＣＣＨ、ＰＤＳＣＨの送信を行わず、パイロット信号１０のみを送信するタイプに設定されたＡＢＳを示している。このようなパイロット信号１０以外の部分がブランクの状態であるＡＢＳのタイプをここでは「タイプ１」と呼ぶ。
【００５３】
図７（ｂ）は、ＭＢＭＳ（Multimedia Broadcast Multicast Service）用のサブフレーム（（ＭＢＳＦＮ（ＭＢＭＳ  Single Frequency Network）サブフレーム）が適用されたサブフレームをＡＢＳとした場合を示している。
ＭＢＭＳは、ブロードキャストサービスであるため、ＭＢＭＳに用いられるＭＢＳＦＮサブフレームでは、ＭＢＭＳに係る情報の他、当該サブフレームがＭＢＳＦＮサブフレームである旨等の必要最小限の制御情報が制御チャネル（サブフレーム先頭側の２シンボル）を用いて送信され、それ以降の領域はパイロット信号も配置されていないブランクの状態である。このようなＭＢＳＦＮサブフレームが適用されたＡＢＳのタイプをここでは「タイプ２」と呼ぶ。
【００５４】
図７（ｃ）は、ＰＤＣＣＨ、ＰＤＳＣＨの送信電力を、他セルに対する与干渉が抑制される程度に小さく設定して送信する形態のＡＢＳを示している。このようなサブフレームの内の一部の送信電力を小さくして送信するＡＢＳのタイプをここでは「タイプ３」と呼ぶ。
【００５５】
マクロＢＳ１ａは、自装置１ａが設定したＡＢＳのタイプを識別することができる情報（ＡＢＳ識別情報）を周辺基地局装置１に通知することで、周辺基地局装置１にＡＢＳのタイプを識別させる。
【００５６】
［６．サブフレームシフトについて］
図４で示したように、無線フレーム中の１番目（＃０）及び６番目（＃５）のサブフレームには、ＰＳＳが割り当てられている。ＰＳＳは、上述のように、端末装置２が、基地局装置やセルを識別するために用いたり、同期をとるために用いる制御信号である。このため、マクロＢＳ１ａが、１番目（＃０）又は６番目（＃５）のサブフレームにＡＢＳを設定したとしても、ＰＳＳの送信を中止することはできない。
【００５７】
例えば、図８（ａ）に示すように、マクロＢＳ１ａの無線フレームと、ピコＢＳ１ｂの無線フレームとが、サブフレームの番号が互いに一致するように同期しているとすると、両ＢＳ１ａ、１ｂは、ＰＳＳを同時に送信することとなる。
この場合、ピコセルＰＣに接続しかつピコセルＰＣのセルエッジ付近である領域Ｅに位置する端末装置２は、自装置２が受信すべきピコＢＳ１ｂからのＰＳＳが、マクロＢＳ１ａからのＰＳＳによって干渉を受ける。端末装置２は、ピコＢＳ１ｂからのＰＳＳのＳＩＮＲが−１０ｄＢ程度までは当該ＰＳＳを受信することができる。しかし、例えば、ハンドオーバの実行を判断する際における受信電力のオフセット値をピコＢＳ１ｂに１５ｄＢ程度加えているとすると、ピコセルＰＣに接続するとともに領域Ｅに位置する端末装置２は、ピコＢＳ１ｂのＰＳＳのＳＩＮＲが−１０ｄＢよりもより低くなるおそれが生じ、マクロＢＳ１ａのＰＳＳによる与干渉によって、ピコＢＳ１ｂのＰＳＳの受信が困難となる。
【００５８】
さらに、上述のように、マクロＢＳ１ａが、１番目（＃０）又は６番目（＃５）のサブフレームにＡＢＳを設定したとしても、ＰＳＳの送信を中止することはできず、ＡＢＳによっては、ＰＳＳの干渉を充分に回避することができないおそれがある。
【００５９】
そこで、本実施形態のピコＢＳ１ｂは、自装置１ｂの無線フレームのタイミングをマクロＢＳ１ａとの間で相対的にずらすように調整する処理を行う機能を有している。
ピコＢＳ１ｂは、例えば、ＡＢＳ識別情報等に基づいてＰＳＳについてマクロＢＳ１ａからの与干渉が生じると判断する場合、図８（ｂ）に示すように、自装置１ｂの無線フレームを調整し、マクロＢＳ１ａの無線フレームに対して、サブフレーム１つ分だけずらす処理（サブフレームシフト）を行う。これにより、マクロＢＳ１ａのＰＳＳと、ピコＢＳ１ｂのＰＳＳとの間の送信タイミングがずれるので、マクロＢＳ１ａのＰＳＳによる、ピコＢＳ１ｂのＰＳＳに対する与干渉を回避することができる。
【００６０】
言い換えると、上記サブフレームシフトを実行すれば、マクロＢＳ１ａがＰＳＳを含むサブフレームにＡＢＳを設定したとしても、ピコＢＳ１ｂの無線フレームにおいてＡＢＳに対応する対応サブフレームにＰＳＳが存在しないように、当該対応サブフレームの送信内容を変更することができ、ピコＢＳ１ｂのＰＳＳに対する与干渉を回避することができる。
【００６１】
上記サブフレームシフトを実行している場合、ピコＢＳ１ｂはその旨を自装置１ｂに接続する端末装置２に認識させる必要がある。
ピコＢＳ１ｂは、サブフレームシフトを実行している旨を、上述のＡＢＳ識別情報に含めて送信する。これにより、ピコＢＳ１ｂは、サブフレームシフトを実行したか否かを端末装置２に通知する。
【００６２】
［７．基地局装置及び端末装置の構成］
図９は、マクロＢＳ１ａ、ピコＢＳ１ｂ、及び端末装置２の構成を示すブロック図である。
マクロＢＳ１ａは、他の基地局装置１や端末装置２との間の通信処理を行うための通信処理部２０と、自装置１ａの無線フレームにＡＢＳを設定するＡＢＳ設定部２１とを備えている。
通信処理部２０は、端末装置２との間で無線通信を行う送受信部２０ａと、他の基地局装置１との間で基地局間通信を行うための基地局間通信部２０ｂとを備えている。
ＡＢＳ設定部２１は、ＡＢＳのパターン及びタイプを決定し無線フレームに設定するとともに、基地局間通信部２０ｂを通じて、これらＡＢＳのパターンを示すＡＢＳパターン情報、及び、ＡＢＳのタイプを識別可能なＡＢＳ識別情報を他の基地局装置１に通知する。
【００６３】
ピコＢＳ１ｂは、他の基地局装置１や端末装置２との間の通信処理を行うための通信処理部３０と、ＡＢＳ情報取得部３１とを備えている。
通信処理部３０は、端末装置２との間で無線通信を行う送受信部３０ａと、他の基地局装置１との間で基地局間通信を行うための基地局間通信部３０ｂとを備えている。
ＡＢＳ情報取得部３１は、基地局間通信によりマクロＢＳ１ａから送信される情報の内、マクロＢＳ１ａの無線フレームに設定されたＡＢＳのタイミングを特定するための情報として、マクロＢＳ１ａから送信されるＡＢＳパターン情報を取得する。また、ＡＢＳ情報取得部３１は、マクロＢＳ１ａから送信される情報の内、ＡＢＳのタイプを識別するための情報として、マクロＢＳ１ａから送信されるＡＢＳ識別情報を取得する。
通信処理部３０は、ＡＢＳ情報取得部３１が取得したＡＢＳパターン情報及びＡＢＳ識別情報を自装置１ｂに接続する端末装置２に送信する送信制御部としての機能を有している。
【００６４】
また、ピコＢＳ１ｂは、自装置１ｂの無線フレームのタイミングを調整し上述のサブフレームシフト処理を実行するフレームタイミング調整部３３と、上述のハンドオーバに関する処理を行うハンドオーバ処理部３４とを備えている。
ハンドオーバ処理部３４は、ハンドオーバを実行する機能の他、ハンドオーバの要否を判定する際において自装置１ｂの受信電力に加えられるオフセット値を設定する機能を有している。ハンドオーバ処理部３４は、ＡＢＳ識別情報より識別されるマクロＢＳ１ａのＡＢＳのタイプ、及び、後述する端末装置２から送信される当該端末装置２による受信処理を示す設定情報に基づいて、前記オフセット値を設定する。
【００６５】
端末装置２は、基地局装置１との間で無線通信を行うための送受信部４０と、ＡＢＳ情報取得部４１と、受信処理設定部４２とを備えている。
ＡＢＳ情報取得部４１は、送受信部４０が受信したピコＢＳ１ｂからの受信信号の中から、ＡＢＳパターン情報や、マクロＢＳ１ａのＡＢＳのタイプを識別するためのＡＢＳ識別情報を取得する。
【００６６】
受信処理設定部４２は、ＡＢＳ情報取得部４１が取得したＡＢＳ識別情報に基づいて、マクロＢＳ１ａが設定したＡＢＳに対応する区間において実行する受信処理として、干渉抑制処理を設定する機能を有している。
受信処理設定部４２は、ＡＢＳに対応する区間における干渉抑制処理として、希望波であるピコＢＳ１ｂの下り信号に対する干渉波であるマクロＢＳ１ａの下り信号による干渉を抑制するための処理を行う。受信処理設定部４２は、ＡＢＳ識別情報からＡＢＳのタイプを識別し、そのタイプに応じて、実行可能な複数の干渉抑制処理の中からいずれかを選択して実行する。また、受信処理設定部４２は、干渉抑制処理をしないことを選択する場合もある。受信処理設定部４２は、干渉抑制処理を設定したか否かを示す設定情報を、送受信部４０を介して、ピコＢＳ１ｂに通知する。
【００６７】
［８．マクロＢＳ１ａとピコＢＳ１ｂとの間の干渉抑制処理について］
図１０は、マクロＢＳ１ａと、ピコＢＳ１ｂとの間で行われるセル間の干渉抑制処理を示すシーケンス図である。
図に示すように、まず、マクロＢＳ１ａが自装置１ａの無線フレームにＡＢＳを設定すると（ステップＳ１０）、そのＡＢＳに関するＡＢＳパターン情報及びＡＢＳ識別情報をピコＢＳ１ｂに基地局間通信によって通知する（ステップＳ１１）。
ＡＢＳパターン情報及びＡＢＳ識別情報を受信したピコＢＳ１ｂは、これら情報によりマクロＢＳ１ａが設定したＡＢＳのタイミングを認識するとともにタイプを識別する。
【００６８】
ここで、ＡＢＳ識別情報は、パイロット信号、ＰＤＣＣＨ、及び、ＰＤＳＣＨそれぞれの構成を特定するための情報を含んでいる。
パイロット信号の構成を特定するための情報としては、セルＩＤや、サブフレーム番号、ＭＢＳＦＮサブフレームに関する情報が挙げられる。セルＩＤ及びサブフレーム番号からは、パイロット信号のサブキャリア位置や、パイロット信号のパターンを特定することができる。ＭＢＳＦＮサブフレームに関する情報からは、そのサブフレームにおける２シンボル目以降のパイロット信号の有無を特定することができる。
ＰＤＣＣＨの構成を特定するための情報としては、電力や、使用率、シンボル数が挙げられる。また、ＰＤＳＣＨの構成を特定するための情報としては、電力や、使用率等が挙げられる。
ピコＢＳ１ｂ及び端末装置２は、上記各情報からなるＡＢＳ識別情報に基づいて、マクロＢＳ１ａのＡＢＳのタイプが上述のタイプ１〜３の内のどのタイプであるかを識別する。
【００６９】
ピコＢＳ１ｂは、マクロＢＳ１ａのＡＢＳのタイプについて識別すると、そのＡＢＳのタイプに応じてマクロＢＳ１ａの無線フレームに対するサブフレームシフトを設定する（ステップＳ１２）。
ピコＢＳ１ｂは、マクロＢＳ１ａのＡＢＳがタイプ１及び２の場合、サブフレームシフトを実行し、タイプ３の場合、サブフレームシフトを実行しない。タイプ３では、ＡＢＳにおける送信電力が小さく設定されるので、ＰＳＳの干渉も抑制されるからである。タイプ１、２では、送信電力を小さく抑える設定とはしないので、ＰＳＳの送信電力は比較的大きく設定され、干渉が生じるおそれがあるため、サブフレームシフトを実行する。
なお、サブフレームシフトを実行する場合には、ピコＢＳ１ｂは、サブフレームシフトを実行している旨を示す情報を、上述のＡＢＳ識別情報に含める。
【００７０】
次いで、ピコＢＳ１ｂは、マクロＢＳ１ａから取得したＡＢＳパターン情報、及びサブフレームシフトの実行の有無に関する情報を含めたＡＢＳ識別情報を端末装置２に送信する（ステップＳ１３）。
【００７１】
端末装置２は、ピコＢＳ１ｂが送信したＡＢＳパターン情報及びＡＢＳ識別情報を受信すると、ＡＢＳ識別情報に応じて受信処理の設定を行う（ステップＳ１４）。端末装置２は、干渉抑制処理として、上述のように、ＡＢＳ識別情報からマクロＢＳ１ａのＡＢＳのタイプを識別し、このタイプに基づいて、実行可能な複数の処理の中からいずれか一つを選択し設定する。この干渉抑制処理の設定については後に詳述する。
【００７２】
端末装置２は、干渉抑制処理を設定すると、干渉抑制処理を設定したか否かを示す設定情報をピコＢＳ１ｂに通知する（ステップＳ１５）。
設定情報を受信したピコＢＳ１ｂは、この設定情報と、端末装置２に通知したＡＢＳ識別情報とに基づいて、端末装置２のハンドオーバの要否を判定する際に受信電力に加えられるオフセット値を設定する（ステップＳ１６）。ピコＢＳ１ｂは、端末装置２がピコセルＰＣのセルエッジ付近の領域Ｅに位置していたとしても、マクロＢＳ１ａにハンドオーバするのを効果的に制限することができるように、端末装置２の干渉抑制処理及びマクロＢＳ１ａが設定するＡＢＳのタイプに応じたオフセット値を設定する。
【００７３】
［９．端末装置２による干渉抑制処理の設定］
図１１は、図１０中ステップＳ１４において端末装置２が行う、干渉抑制処理の設定についてのフローチャートである。
ピコＢＳ１ｂが送信したＡＢＳパターン情報及びＡＢＳ識別情報（図１０中ステップＳ１３）を受信した端末装置２は、ＡＢＳパターン情報よりマクロＢＳ１ａが設定したＡＢＳのタイミングを認識する（ステップＳ３１）。さらに、端末装置２は、ＡＢＳ識別情報よりマクロＢＳ１ａのＡＢＳのタイプを識別する。
次いで、端末装置２は、受信処理として、ＡＢＳのタイプに応じて、実行可能な複数の干渉抑制処理の中からいずれかを選択する（ステップＳ３３）。
【００７４】
図１２は、図１１中ステップＳ３３において端末装置２が行う、干渉抑制処理の選択についてのフローチャートである。
本実施形態の端末装置２は、実行可能な干渉抑制処理として、干渉波に含まれるパイロット信号を推定し、推定したパイロット信号を自装置１ｂの受信信号から除去することで、他の基地局装置１からのパイロット信号による干渉を除去する処理（パイロット信号キャンセル処理）、及び、ビームフォーミングによって干渉を回避する処理（ビームフォーミング処理）を実行する機能を有している。
【００７５】
端末装置２は、識別したマクロＢＳ１ａのＡＢＳがタイプ１か否かを判定する（ステップＳ３３１）。
ステップＳ３３１において、タイプ１であると判定すると、端末装置２は、干渉抑制処理としてパイロット信号キャンセル処理を選択し（ステップＳ３３２）、処理を終える。
【００７６】
タイプ１の場合のＡＢＳは、上述したように、ＰＤＣＣＨ、ＰＤＳＣＨの送信を行わず、パイロット信号１０のみを送信する構成なので（図７（ａ））、ＡＢＳの区間におけるマクロＢＳ１ａからの干渉波としては、ＡＢＳ内のパイロット信号のみである。端末装置２は、このようなＡＢＳの区間での干渉抑制に適した干渉抑制処理としてパイロット信号キャンセル処理を選択する。本処理によって、端末装置２は、マクロＢＳ１ａからのパイロット信号による与干渉を抑制できる。当該ＡＢＳでは、他に信号が配置されないので、端末装置２は、ＡＢＳに対応する区間を使用することで、マクロＢＳ１ａからの与干渉を効果的に抑制することができる。
【００７７】
ステップＳ３３１において、タイプ１でないと判定すると、端末装置２は、マクロＢＳ１ａのＡＢＳがタイプ２か否かを判定する（ステップＳ３３３）。
ステップＳ３３３において、タイプ２であると判定すると、端末装置２は、干渉抑制処理を実行しないことを選択し（ステップＳ３３４）、処理を終える。
【００７８】
タイプ２の場合、ＭＢＳＦＮサブフレームをＡＢＳとしているので、サブフレーム先頭側から３シンボル目以降には、パイロット信号も配置されていないブランクの状態である（図７（ｂ））。よって、端末装置２は、特に干渉抑制処理を行わずとも、マクロＢＳ１ａから干渉を受けることがない。このため、タイプ２の場合、端末装置２は、必要のない処理である干渉抑制処理を実行しないことを選択する。
【００７９】
ステップＳ３３３において、タイプ２でないと判定すると、端末装置２は、ＡＢＳのタイプが、パターン３であると判定することができる。本実施形態では、ＡＢＳのタイプとして、タイプ１〜３の３つのタイプが設定されるからである。端末装置２は、ＡＢＳのタイプがタイプ３であると判定すると、干渉抑制処理として、ビームフォーミング処理を選択し（ステップＳ３３５）、処理を終える。
【００８０】
タイプ３のＡＢＳの場合、ＰＤＣＣＨ、ＰＤＳＣＨの送信電力を、他セルに対する与干渉が抑制される程度に小さく設定して送信する形態としているので、たとえ送信電力を抑えて送信したとしても、端末装置２は、マクロＢＳ１ａからの信号によって干渉を受ける可能性がある。このため、端末装置２は、干渉抑制処理として、空間的にマクロＢＳ１ａからの干渉波を回避しうる処理であるビームフォーミング処理を選択する。
【００８１】
以上のようにして、端末装置２は、ＡＢＳのタイプに応じた干渉抑制処理を選択する（図１１中ステップＳ３３）。
【００８２】
なお、本実施形態の端末装置２は、干渉抑制処理として、パイロット信号キャンセル処理と、ビームフォーミング処理を実行する機能を有する場合を示したが、これら干渉抑制処理は、端末装置２の構成に依存するので、これら機能を持たない端末装置２の場合は、干渉抑制処理を実行しない。
また、他の異なる干渉抑制処理、例えば、時間領域あるいは周波数領域での信号処理により干渉を除去する処理を実行する機能を有する場合、それらを干渉抑制処理として実行することができる。
時間領域あるいは周波数領域での信号処理により干渉を除去する処理としては、干渉信号のレプリカを生成することで干渉を除去するレプリカ生成型の処理や、等化処理、誤り訂正復号処理と等化処理の組み合わせにターボループを導入した処理等を用いることができる。
【００８３】
［１０．ハンドオーバ時のオフセット値の設定］
上述したように、図１０中のステップＳ１６において、ピコＢＳ１ｂは、端末装置２から通知される設定情報と、端末装置２に通知したＡＢＳ識別情報とに基づいて、端末装置２のハンドオーバの要否を判定する際の受信電力に加えられるオフセット値を設定する。
【００８４】
図１３は、ピコＢＳ１ｂに接続している端末装置２が、ピコＢＳ１ｂとの接続を実質的に維持することが可能な、ピコＢＳ１ｂの受信信号の電力とマクロＢＳ１ａの受信信号の電力との電力差を示す図であり、この電力差の値と、マクロＢＳ１ａが設定しうる各ＡＢＳタイプ、及び端末装置２が実行する干渉抑制処理の有無との関係を示している。
【００８５】
マクロＢＳ１ａのＡＢＳがタイプ１の場合、端末装置２の干渉抑制処理が実行されないときの前記電力差は、−１０ｄＢであり、干渉抑制処理が実行されるときの前記電力差は、−１５ｄＢである。このように、端末装置２側で干渉抑制処理を実施すれば、より通信環境が悪化したとしてもピコＢＳ１ｂとの接続を維持することができる。
【００８６】
マクロＢＳ１ａのＡＢＳがタイプ２の場合、端末装置２の干渉抑制処理が実行されないときの前記電力差は、−２０ｄＢである。本実施形態では、タイプ２の場合、干渉抑制処理を実行しないので、干渉抑制処理が実行されるときの前記電力差の値はない。
マクロＢＳ１ａのＡＢＳがタイプ２の場合、ほとんどの領域に信号が配置されていないＭＢＳＦＮサブフレームが適用されているので、干渉抑制処理の実行がなくても、前記電力差の値が、パターン１の場合よりも大きくなる。
【００８７】
マクロＢＳ１ａのＡＢＳがタイプ３の場合、端末装置２の干渉抑制処理が実行されないときの前記電力差は、−６ｄＢであり、干渉抑制処理が実行されるときの前記電力差は、−１０ｄＢである。タイプ３の場合、送信電力が小さく設定されているが、信号の送信が行われていることに変わりはないので、前記電力差は、他のタイプと比較して最も大きくなる。
【００８８】
ピコＢＳ１ｂ（のハンドオーバ処理部３４）は、前記電力差に基づいて、端末装置２のハンドオーバの要否を判定する際に受信電力に加えられるオフセット値を設定する。
ピコＢＳ１ｂは、図１３に示す、マクロＢＳ１ａのＡＢＳのタイプ及び端末装置２の干渉抑制処理の有無によって定まる条件に対応する前記電力差で、自装置１ｂに接続する端末装置２がマクロＢＳ１ａにハンドオーバするように、オフセット値を設定する。
【００８９】
例えば、マクロＢＳ１ａのＡＢＳがタイプ１でかつピコＢＳ１ｂに接続する端末装置２が干渉抑制処理を実行している場合には、ピコＢＳ１ｂは、当該端末装置２におけるピコＢＳ１ｂの受信電力がマクロＢＳ１ａの受信電力に対して−１５ｄＢを超えない限り、この端末装置２のハンドオーバを実行しない。
これによって、ピコＢＳ１ｂは、マクロＢＳ１ａのＡＢＳのタイプ及び端末装置２の干渉抑制処理の有無によって定まる条件に応じて、自装置１ｂに接続する端末装置２がマクロＢＳ１ａにハンドオーバするのをできるだけ制限し、端末装置２をマクロＢＳ１ａよりもピコＢＳ１ｂに優先的に接続させる。
【００９０】
上記ピコＢＳ１ｂ（のハンドオーバ処理部３４）は、マクロＢＳ１ａに向けた端末装置２のハンドオーバの要否を判定するための基準パラメータである、自装置１ｂの受信電力に加えられるオフセット値を、ＡＢＳ識別情報（から識別されるＡＢＳのタイプ）及び前記設定情報に基づいて設定する。
このように、ピコＢＳ１ｂは、端末装置２が通知する設定情報、及びＡＢＳ識別情報（から識別されるＡＢＳのタイプ）に基づいて、前記オフセット値を設定するので、ＡＢＳのタイプ及び端末装置２が行う干渉抑制処理に基づいた干渉の抑制度合に応じて、マクロＢＳ１ａに向けた端末装置２のハンドオーバを制限することができる。
【００９１】
［１１．効果について］
上記のように構成されたピコＢＳ１ｂは、マクロＢＳ１ａの無線フレームに設定されたＡＢＳのタイプを識別可能なＡＢＳ識別情報を取得するＡＢＳ情報取得部３１と、ＡＢＳ識別情報を自装置１ｂに接続する端末装置２に送信する通信処理部３０とを備えているので、自装置１ｂに接続する端末装置２に、マクロＢＳ１ａのＡＢＳ識別情報を送信することで、当該端末装置２に、ＡＢＳのタイプについて識別させることができる。この結果、ＡＢＳのタイプに応じた干渉抑制処理等の受信処理を端末装置に実行させることができる。
【００９２】
また、上記ピコＢＳ１ｂは、ＡＢＳ識別情報に基づいて、マクロＢＳ１ａのＡＢＳに対応する自装置１ｂの無線フレームの対応区間の送信内容が変更されるように自装置１ｂの無線フレームを調整するサブフレームシフトを行うフレームタイミング調整部３３を備え、通信処理部３０は、自装置１ｂの無線フレームの調整後のタイミングに関する情報として、サブフレームシフトを実行したか否かを示す情報をＡＢＳ識別情報に含めて送信するように構成されている。
【００９３】
この場合、マクロＢＳ１ａのＡＢＳ及び自装置１ｂの対応区間の両者にＰＳＳ等の制御信号が含まれており、ＡＢＳタイプにより干渉の抑制度合によって自装置１ｂのＰＳＳが干渉を受けるおそれがある場合にも、対応区間の送信内容が変更されるように無線フレームを調整することで、自装置１ｂのＰＳＳが受ける与干渉を抑制することができる。
【００９４】
また、ピコＢＳ１ｂが自装置１ｂの無線フレームのタイミングを調整すると、自装置１ｂとマクロＢＳ１ａとの間でＰＳＳ等の制御信号の位置関係が変化し、端末装置２側からみたときのＡＢＳに相対的な影響を与える。よって、サブフレームシフトを実行したか否かを示す情報を端末装置２に送信することで、ピコＢＳ１ｂが無線フレームのタイミングを調整したことによる影響を反映したＡＢＳを、端末装置２に認識させることができる。
【００９５】
また、上記構成の端末装置２は、マクロＢＳ１ａの無線フレームに設定されたＡＢＳのタイプを識別するためのＡＢＳ識別情報を、ピコＢＳ１ｂを介して取得するＡＢＳ情報取得部４１と、ＡＢＳ識別情報に基づいて、ＡＢＳに対応する区間における受信処理である干渉抑制処理を設定する受信処理設定部４２とを備えているので、マクロＢＳ１ａの無線フレームに設定されたＡＢＳのタイプを識別することができ、ＡＢＳのタイプに応じた受信処理を実行することができる。
【００９６】
［１２．他の実施例について］
図１４（ａ）は、ピコＢＳ１ｂと、同じマクロセルＭＣに属する他のピコＢＳ１ｂとの間におけるＡＢＳの設定の態様を示すシーケンス図である。
図において、マクロＢＳ１ａが、当該マクロＢＳ１ａの無線フレームにＡＢＳを設定し（ステップＳ４１）、そのＡＢＳに関するＡＢＳパターン情報及びＡＢＳ識別情報をピコＢＳ１ｂに基地局間通信によって通知すると（ステップＳ４２）、ピコＢＳ１ｂは、これらＡＢＳパターン情報及びＡＢＳ識別情報を受信する。
【００９７】
ピコＢＳ１ｂは、受信したＡＢＳパターン情報及びＡＢＳ識別情報によりマクロＢＳ１ａが設定したＡＢＳのタイミングを認識するとともにタイプを識別する。
さらにピコＢＳ１ｂは、受信したＡＢＳパターン情報及びＡＢＳ識別情報を、他のピコＢＳ１ｂに基地局間通信によって通知する（ステップＳ４３）。
【００９８】
この場合、ピコＢＳ１ｂは、他のピコＢＳ１ｂにマクロＢＳ１ａが設定したＡＢＳのＡＢＳ識別情報を送信することで、他のピコＢＳ１ｂにマクロＢＳ１ａのＡＢＳのタイプを識別させることができる。この結果、他のピコＢＳ１ｂに、当該他のピコＢＳ１ｂに接続する端末装置２に対して前記ＡＢＳ識別情報を送信させる等の処理を実行させることができる。
【００９９】
図１４（ｂ）は、マクロＢＳ１ａと、当該マクロＢＳ１ａと異なる他のマクロＢＳ１ａとの間におけるＡＢＳの設定の態様を示すシーケンス図である。
図において、他のマクロＢＳ１ａが、当該他のマクロＢＳ１ａの無線フレームにＡＢＳを設定し（ステップＳ５１）、そのＡＢＳに関するＡＢＳパターン情報及びＡＢＳ識別情報をマクロＢＳ１ａに基地局間通信によって通知すると（ステップＳ５２）、マクロＢＳ１ａは、これらＡＢＳパターン情報及びＡＢＳ識別情報を受信する。
【０１００】
マクロＢＳ１ａは、受信したＡＢＳパターン情報及びＡＢＳ識別情報によりマクロＢＳ１ａが設定したＡＢＳのタイミングを認識するとともにタイプを識別する。
【０１０１】
次いで、マクロＢＳ１ａは、受信したＡＢＳパターン情報及びＡＢＳ識別情報に基づいて、自装置１ａの無線フレームにＡＢＳを設定する（ステップＳ５３）。このとき、マクロＢＳ１ａは、マクロＢＳ１ａのＡＢＳと同一のタイミング、タイプとされたＡＢＳを自装置１ａの無線フレームに設定する。
【０１０２】
この場合、マクロＢＳ１ａは、他のマクロＢＳ１ａが設定するＡＢＳに応じて、同じタイプのＡＢＳを自装置１ａの無線フレームに設定するので、設定されるＡＢＳのタイプを複数の基地局装置１の間で統一することができる。この結果、このＡＢＳを利用する基地局装置１及び端末装置２においてその利便性が高まる。
【０１０３】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１０４】
１    基地局装置（１ａ：マクロ基地局装置，１ｂ：ピコ基地局装置）
２    端末装置（移動端末）
２０  通信処理部
２１  ＡＢＳ設定部
３０  通信処理部
３１  ＡＢＳ情報取得部
３３  フレームタイミング調整部
３４  ハンドオーバ処理部
４０  送受信部
４１  ＡＢＳ情報取得部
４２  受信処理設定部
【図１】
0005942407.tif 000002
【図２】
0005942407.tif 000003
【図３】
0005942407.tif 000004
【図４】
0005942407.tif 000005
【図５】
0005942407.tif 000006
【図６】
0005942407.tif 000007
【図７】
0005942407.tif 000008
【図８】
0005942407.tif 000009
【図９】
0005942407.tif 000010
【図１０】
0005942407.tif 000011
【図１１】
0005942407.tif 000012
【図１２】
0005942407.tif 000013
【図１３】
0005942407.tif 000014
【図１４】
0005942407.tif 000015